(57)【要約】【課題】紙幣とカードの双方を使用可能な遊技機において、遊技機本体を大型化することのなくスペースの有効利用が図れる紙幣識別装置を提供する。【解決手段】紙幣識別装置は、紙幣挿入口３５から挿入された紙幣の有効性を識別する紙幣識別部３７と、紙幣を搬送する紙幣搬送機構とを具備する本体部３１と、この本体部に装着され、紙幣識別部３７で有効と判断された紙幣をスタックする紙幣収容部３２とを有する。そして、本体部３１に、カード状の情報記録媒体を挿入するカード挿入口３６を設けると共に、情報記録媒体に対する情報の書き込み、及び／又は情報の読取りが可能な記録媒体処理装置５０を組み込んだことを特徴とする。【選択図】    図４
2005250959.tif 000002
【特許請求の範囲】
【請求項１】
紙幣挿入口から挿入された紙幣の有効性を識別する紙幣識別部と、紙幣を搬送する紙幣搬送機構とを具備する本体部と、この本体部に装着され、前記紙幣識別部で有効と判断された紙幣をスタックする紙幣収容部とを有する紙幣識別装置であって、
前記本体部に、カード状の情報記録媒体を挿入するカード挿入口を設けると共に、前記情報記録媒体に対する情報の書き込み、及び／又は情報の読取りが可能な記録媒体処理装置を組み込んだことを特徴とする紙幣識別装置。
【請求項２】
前記紙幣挿入口と前記カード挿入口を、略同一の位置に設置したことを特徴とする請求項１に記載の紙幣識別装置。
【請求項３】
前記紙幣挿入口の経路上に、カードの挿入を検知することなく紙幣の挿入を検知可能なセンサを配置したことを特徴とする請求項２に記載の紙幣識別装置。
【請求項４】
遊技領域を有する筐体と、この筐体内に設置され、紙幣挿入口を筐体表面から露出させた紙幣識別装置とを有する遊技機であって、
前記紙幣識別装置は、前記紙幣挿入口から挿入された紙幣の有効性を識別する紙幣識別部と、紙幣を搬送する紙幣搬送機構とを具備する本体部と、この本体部に装着され、前記紙幣識別部で有効と判断された紙幣をスタックする紙幣収容部とを有し、
前記本体部に、前記筐体表面から露出するカード状の情報記録媒体を挿入するカード挿入口を設けると共に、前記情報記録媒体に対する情報の書き込み、及び／又は情報の読取りが可能な記録媒体処理装置を組み込んだことを特徴とする遊技機。
【請求項５】
前記紙幣挿入口と前記カード挿入口を、略同一の位置に設置したことを特徴とする請求項４に記載の紙幣識別装置。
【請求項６】
前記筐体は、着脱可能なユニットを備え、このユニット内に前記紙幣識別装置を設置したことを特徴とする請求項４又は５に記載の遊技機。
【発明の詳細な説明】
【技術分野】
【０００１】
本発明は、スロットマシン、弾球遊技、カードゲーム等、各種の遊技が行なえる遊技機に関し、詳細には、遊技を行なう際に用いられる紙幣を識別、処理する紙幣識別装置、及びそのような紙幣識別装置を組み込んだ遊技機に関する。
【背景技術】
【０００２】
上記したような遊技機には、遊技を行なう際に使用される紙幣を処理する紙幣識別装置を組み込んだものが知られており、例えば、本出願人は先の出願である特許文献１において、遊技機に設置可能な紙幣識別装置を提案している。この主の紙幣識別装置は、紙幣挿入口を介して挿入される紙幣の有効性を識別する紙幣識別部、有効（真正）と識別された紙幣を搬送する搬送機構、及び、搬送される紙幣をスタックする収容部（金庫）等を備えて構成されており、前記収容部を、紙幣識別装置の本体部に対して着脱可能に構成して、収容部に収容された紙幣を回収するようにしている。
【０００３】
一方、上記した遊技機には、特許文献２に開示されているように、ＩＣカードのような各種の情報記録媒体（カード）を処理する記録媒体処理装置（カードユニット）を組み込んだ構成が知られている。このようなカードユニットは、例えば、従来のペイアウト情報を紙で出力していた構成と比較すると、紙の補充をする手間が省け、また、セキュリティの向上が図れるという利点が得られ、さらには、必要に応じてカードを発行する等、遊技者が遊技を行なう上で、利便性の向上が図れるようになる。
【特許文献１】特願２００３−１１８２０３号
【特許文献２】特開２００３−２９９８７５号
【発明の開示】
【発明が解決しようとする課題】
【０００４】
ところで、遊技者に対する利便性を向上するために、上記したような紙幣識別装置に加え、更にカードユニットを一つの遊技機の筐体に組み込むことが考えられるが、このような構成では、筐体が大型化してしまいスペースに無駄が生じるという問題がある。また、紙幣識別装置とカードユニットを一つの遊技機に個別に組み込むと、各媒体の挿入口は、別位置となってしまい、遊技者にとっては使い勝手が良くないという問題も生じる。
【０００５】
この発明は、上記した問題に基づいてなされたものであり、紙幣とカードの双方を使用可能な遊技機において、遊技機本体を大型化することなく、スペースの有効利用が図れる紙幣識別装置、及びそのような紙幣識別装置を組み込んだ遊技機を提供することを目的とする。また、本発明は、上記した紙幣識別装置、及び遊技機に関し、遊技者にとって紙幣やカードの使い勝手が良好な構成を提供することを目的とする。
【課題を解決するための手段】
【０００６】
上記した目的を達成するために、請求項１に係る発明は、紙幣挿入口から挿入された紙幣の有効性を識別する紙幣識別部と、紙幣を搬送する紙幣搬送機構とを具備する本体部と、この本体部に装着され、前記紙幣識別部で有効と判断された紙幣をスタックする紙幣収容部とを有する紙幣識別装置であって、前記本体部に、カード状の情報記録媒体を挿入するカード挿入口を設けると共に、前記情報記録媒体に対する情報の書き込み、及び／又は情報の読取りが可能な記録媒体処理装置を組み込んだことを特徴とする。
【０００７】
上記した紙幣識別装置によれば、カード状の情報記録媒体を処理する記録媒体処理装置を組み込んだことにより、紙幣識別装置、及び記録媒体処理装置を、別々のユニットとして遊技機等の外部装置に設置する必要がなくなり、外部装置を大型化することなく、スペースを有効活用することが可能となる。
【０００８】
また、請求項２に係る発明は、前記紙幣挿入口と前記カード挿入口を、略同一の位置に設置したことを特徴とする。  
このような構成によれば、紙幣挿入口とカード挿入口が、挿入操作をするに際して同一の領域に設置されていることから、遊技者は紙幣やカードによって挿入口を選択する必要が無くなり、遊技者の利便性の向上が図れる。なお、ここでの「略同一」には、遊技者が紙幣の挿入動作を行なうにあたり、紙幣挿入口の挿入経路上にカード挿入口を設置したり、両挿入口を全く同一の位置に設置したり（共通挿入口とする）、或いは、両挿入口を上下やサイドに併設する等の構成が含まれる。
【０００９】
また、請求項３に係る発明は、前記紙幣挿入口の経路上に、カードの挿入を検知することなく紙幣の挿入を検知可能なセンサを配置したことを特徴とする。  
このような構成によれば、遊技者が誤って紙幣挿入口に対してカード状の情報記録媒体を挿入しても、紙幣の挿入として検知しないことから、本体部の内部にカードが搬送されることを防止することが可能となる。
【００１０】
また、上記した目的を達成するために、請求項４に係る発明は、遊技領域を有する筐体と、この筐体内に設置され、紙幣挿入口を筐体表面から露出させた紙幣識別装置とを有する遊技機であって、前記紙幣識別装置は、前記紙幣挿入口から挿入された紙幣の有効性を識別する紙幣識別部と、紙幣を搬送する紙幣搬送機構とを具備する本体部と、この本体部に装着され、前記紙幣識別部で有効と判断された紙幣をスタックする紙幣収容部とを有し、前記本体部に、前記筐体表面から露出するカード状の情報記録媒体を挿入するカード挿入口を設けると共に、前記情報記録媒体に対する情報の書き込み、及び／又は情報の読取りが可能な記録媒体処理装置を組み込んだことを特徴とする。
【００１１】
上記した遊技機によれば、筐体内に設置される紙幣識別装置に、更に、カード状の情報記録媒体を処理する記録媒体処理装置を組み込んだことにより、紙幣識別装置、及び記録媒体処理装置を、別々のユニットとして筐体内に設置する必要がなくなり、遊技機を大型化することなく、スペースを有効活用することが可能となる。
【００１２】
また、請求項５に係る発明によれば、前記紙幣挿入口と前記カード挿入口を、略同一の位置に設置したことを特徴とする。  
このような構成によれば、紙幣挿入口とカード挿入口が、挿入操作をするに際して同一の領域に設置されていることから、遊技者は紙幣やカードによって挿入口を選択する必要が無くなり、遊技者の利便性の向上が図れる。なお、ここでの「略同一」には、遊技者が紙幣の挿入動作を行なうにあたり、紙幣挿入口の挿入経路上にカード挿入口を設置したり、両挿入口を全く同一の位置に設置したり（共通挿入口とする）、或いは、両挿入口を上下やサイドに併設する等の構成が含まれる。
【００１３】
また、請求項６に係る発明は、前記筐体に対して着脱可能なユニットを設け、このユニッ内に前記紙幣識別装置を設置したことを特徴とする。  
このように記録媒体処理装置を組み込んだ紙幣識別装置を、遊技機の筐体から着脱可能なユニット内に設置することで、遊技機に紙幣識別装置用の無駄な設置スペースを設ける必要がなくなって、外観の向上を図ることが可能となる。
【発明の効果】
【００１４】
本発明の紙幣識別装置、及び遊技機によれば、紙幣に加え、カード状の情報記録媒体を使用可能にする遊技機とした場合に、遊技機本体を大型化することはなく、更には、紙幣及びカードを使用する遊技者に対して利便性の向上が図れるようになる。
【発明を実施するための最良の形態】
【００１５】
以下、本発明に係る紙幣識別装置、及びそのような紙幣識別装置が組み込まれる遊技機について、その一実施の形態を添付図面に沿って具体的に説明する。なお、以下の実施形態では、遊技機として、スラント型のスロットマシンを例示して説明する。
【００１６】
図１に示すように、本実施形態に係るスロットマシン１は、それぞれ図柄が描かれた３個の回転リール３Ｌ，３Ｃ，３Ｒを横一列に回転可能に配設した遊技領域５を具備した筐体１０を備えている。
【００１７】
前記筐体１０は、着座した状態で前記回転リール３Ｌ，３Ｃ，３Ｒが視認し易いように、水平方向に対して後方側が上昇するように傾斜し、筐体１０に対して開閉可能な開閉扉（その表面側は回転リールが視認できる遊技領域を構成する）１１を備えており、回転リール３Ｌ，３Ｃ，３Ｒは、この開閉扉１１の左右方向略中央領域に位置するように配置されている。また、筐体１０は、開閉扉１１の下方に、開閉扉よりも緩やかな傾斜面を具備した台座部１３を備えており、この台座部１３には、遊技を行なう上で必要とされる各種の操作部材（ＢＥＴボタン、リール回転ボタン、リール停止ボタン等の各種ボタンやコインを投入する投入口等）が設けられている。
【００１８】
前記台座部１３の手前側には、略水平面を有するアームレスト１５が設けられており、遊技者が図示されていない椅子に座った状態で、腕をアームレスト１５に載せて台座部１３に設けられた各種の操作部材が操作し易いように構成されている。
【００１９】
また、前記筐体１０は、開閉扉１１の後方側に垂直状態に配置される正面パネル部１７を備えており、ここには、例えば、入賞図柄の組み合せや配当等を表示する配当表１８や、遊技中に遊技の興趣を増大するため、演出用の効果音を発音するスピーカ２０Ｌ，２０Ｒ等が設けられている。
【００２０】
なお、筐体１０には、更に、遊技の興趣を増大するための各種の装置が設けられていても良く、例えば、前記開閉扉１１に、回転リール３Ｌ，３Ｃ，３Ｒが透過して視認できる液晶表示装置１２（透過型の液晶表示装置）を配置し、ここで、遊技に応じて各種の動的な演出画像を表示したり、遊技者が遊技を有利に進めるために必要な情報の表示等を行なうようにしても良い。この場合、透過型の液晶表示装置は、保護ガラス、表示板、液晶パネル、導光板、反射フィルム、蛍光ランプ、及び液晶パネル駆動用のＩＣを搭載したテーブルキャリアパッケージ（ＴＣＰ）等を具備して構成される。
【００２１】
前記筐体１０の一側部には、後述する紙幣識別装置３０を保持したユニット１０ａが設置されている。ユニット１０ａは、図に示すように、筐体１０の略半分の高さで、幅方向に薄肉厚な略直方体形状に構成されており、その内部に設置される紙幣識別装置は、筐体１０内に組み込まれている前記回転リール３Ｌ，３Ｃ，３Ｒによる遊技を制御する遊技装置と電気的に接続されている。この場合、ユニット１０ａは、筐体１０と共に一体化されていても良いが、それ自体単独で紙幣識別装置用のユニットとして、筐体１０に対して着脱可能となるように構成されていても良い。なお、紙幣識別装置３０は、ユニット１０ａの内部に設けられた係止構造によって、所定の位置に組み込まれた状態で保持される。
【００２２】
前記ユニット１０ａには、その上面及び前面に、それぞれ開放扉１０ｂ及び開放扉１０ｃが回動可能に支持されており、各開放扉１０ｂ，１０ｃを、前面及び上面に亘って略観音開きすることで、紙幣識別装置３０を取り出し可能にしている。なお、上面側の開放扉１０ｂには、開口１０ｄが形成されており、後述する紙幣識別装置３０の本体部３１に形成される紙幣挿入口３５、及びカード挿入口３６を露出させている。また、前面側の開放扉１０ｃには、両開放扉の開放をロックするためのロック機構用の鍵穴１０ｅが設けられている。
【００２３】
次に、図２から図６を参照して、上記スロットマシンに組み込まれる紙幣識別装置の構成について説明する。これらの図において、図２は、前記紙幣識別装置の構成例を示す斜視図、図３は、紙幣挿入口及びカード挿入口部分の拡大斜視図、図４は、紙幣識別装置の内部構成を示す概略図、図５（ａ）は、カード挿入口にカード状の情報記録媒体（以下、カードとする）を挿入した状態を示す斜視図、図５（ｂ）は、紙幣挿入口にカードを挿入した状態を示す斜視図、そして、図６は、紙幣識別部に紙幣を挿入した状態を示す図である。
【００２４】
紙幣識別装置３０は、本体部３１と、紙幣をストックすると共に、前記本体部３１に対して取手３３を握持することで手前側に引き出し可能に装着された収容部（金庫）３２とを備えて構成されている。本体部３１には、くちばし状に突出する媒体受入部３４が形成されており、ここには、紙幣を受け入れる紙幣挿入口３５が形成されると共に、紙幣挿入口３５と略同一箇所に、カードを受け入れるカード挿入口３６が形成されている。
【００２５】
具体的には、紙幣挿入口３５は、遊技者によって扱われる紙幣が載置され、かつ略水平に挿入方向を案内する平坦状の案内面３５ａに対して直交する方向に開口するように形成されており、カード挿入口３６は、案内面３５ａに開口するように形成されている。すなわち、紙幣は、水平方向に向けて紙幣挿入口３５に挿入され、カードは、その経路上において、斜め下方向に向けてカード挿入口３６に挿入されるようになっている。この場合、紙幣挿入口３５の案内面３５ａの両サイドには、使用される紙幣の幅に対応するように規制壁３５ｂが形成されており、カード挿入口３６は、それよりも幅狭に形成され、カード挿入口３６に紙幣を挿入できないようになっている。
【００２６】
前記本体部３１の上面側には、紙幣挿入口３５から挿入された紙幣の有効性を識別する紙幣識別部３７が設置されており、紙幣識別部３７には、紙幣搬送機構を構成する搬送路（搬送ベルト）４０、及びこの搬送路４０に連続設置される搬送ローラ対４０ａ，４０ｂ，４０ｃ，４０ｄが配設されている。これら搬送ローラ対４０ａ，４０ｂ，４０ｃ，４０ｄは、図６に示すように、紙幣識別部３７を構成する開閉可能な開閉部材３７ａと本体部側の平坦状のフレーム３７ｂの夫々に回転可能に支持されており、搬送路４０は、本体部側のフレーム３７ｂに回転可能に支持された搬送ローラ対に巻回されることで構成されている。この場合、前記搬送路４０は、前記案内面３５ａと連続的に形成されると共に、搬送ローラ対４０ｄの後方側で、略直角下方に屈曲されており、紙幣を収容部３２に向けて案内するようになっている。なお、下方に延出する搬送路４０にも、紙幣を搬送する搬送ローラ対４０ｅ，４０ｆが配設されている。
【００２７】
前記紙幣識別部３７には、挿入された紙幣の有効性を判別する機能を有する紙幣識別センサ４２と、カードの挿入を検知することなく、紙幣の挿入を検知する機能を有する紙幣挿入センサ４３が設置されている。このような機能を有する紙幣挿入センサ４３は、挿入される紙幣の幅がカードの幅よりも大きいことに着目し、例えば、幅方向にカード幅より広い間隔で設置され、かつ挿入される紙幣の両端部を検知する光学式のセンサ（前記開閉部材３７ａ及びこれに対向する本体部側のフレーム３７ｂに対向配置される受発光素子）によって構成することが可能である。
【００２８】
具体的には、図６に示すように、案内面３５ａ上で規制壁３５ｂに沿って紙幣Ｍが挿入された場合、その両端のセンサ４３が紙幣を同時に検知すること（両端に設置されたセンサ４３から同時に検知信号が発せられること）で紙幣が通過したことを認識するが、図５（ｂ）に示すように、誤ってカードＣを案内面３５ａに沿って挿入した場合、その幅は、紙幣Ｍの幅よりも小さいことから、両端のセンサ４３が同時に検知信号を発生することはなく、紙幣であることを認識することはない。
【００２９】
前記各搬送ローラ対４０ａ〜４０ｆは、搬送モータ４５及びこれに連結されるギヤトレイン４６を具備する公知の駆動力伝達機構を介して正逆転可能に回転駆動される。また、本体部３１には、制御回路基板４７が設置されており、前記紙幣を識別するためのセンサ４２、及び前記紙幣挿入センサ４３からの信号を検出して紙幣の真贋といった有効性の判断、及び、各センサからの検知信号に基づいて、搬送モータ４５の駆動開始、逆転等の駆動制御を行なう。すなわち、搬送モータ４５（搬送ローラ対４０ａ，４０ｂ，４０ｃ，４０ｄ）は、両端の紙幣挿入センサ４３が同時に検知信号を発し、かつ紙幣を識別するためのセンサ４２によって紙幣が有効と判断された場合に、挿入された紙幣を収容部側に向けて送り込むように駆動される。
【００３０】
従って、紙幣挿入口にカードＣを誤って挿入しても、紙幣挿入センサ４３が同時に検知信号を発することはないので、搬送モータ４５は回転駆動されることはなく、カードの進入を阻止することが可能となる。また、紙幣を識別するためのセンサ４２が、紙幣の有効性を判断できなかった場合は、搬送モータ４５は逆向きに回転駆動され、挿入された紙幣を紙幣挿入口３５から排出する。
【００３１】
前記本体部３１内には、前記カード挿入口３６から挿入されるカードに対して、各種情報の書き込み、及び／又は、記録されている情報の読取りが可能な記録媒体処理装置５０が配設されている。
【００３２】
記録媒体処理装置５０は、前記紙幣の搬送路４０の下方側において、カード挿入口３６に連続するカード搬送路３６ａ、及びカード搬送路に沿って連続配設されるピンチローラ５１ａ、搬送ローラ５１ｂ，５１ｃを具備するカード搬送機構を備えている。この場合、カード挿入口３６、及びカード搬送路３６ａは、紙幣の搬送路４０と干渉しないようにカードを斜め下方に案内するように形成されている。
【００３３】
また、記録媒体処理装置５０は、前記カード搬送路３６ａに設置され、搬送路に案内されたカードに対する情報の読取りや書き込みが行なえるカードリーダライタ５５を備えている。この場合、カードリーダライタ５５は、光学的なカード、磁気的なカード、光磁気的なカード、ＩＣカード等、使用されるカードの種別に対応して情報の読取り／記録が行なえるよう構成されている。
【００３４】
前記ピンチローラ５１ａ及び搬送ローラ対５１ｂ，５１ｃは、搬送モータ５６及びこれに連結されるギヤトレインを具備する公知の駆動力伝達機構を介して正逆転可能に回転駆動される。この場合、搬送モータ５６の駆動制御は、前記制御回路基板４７において、カードの挿入を検知したセンサ（図示せず）からの検出信号に基づいて行なわれる。
【００３５】
なお、上記した記録媒体処理装置５０は、更に、使用されるカードを収容するカード収容部６０を備えていても良い。このようなカード収容部６０は、例えば、使用済みのカードを回収する回収ボックスとしての機能を持たせたり、或いは、多数のカードを予め収容しておき、遊技者に対してカードリーダライタ５５においてペイアウト情報を記録して発行する発行カードを収納する機能を持たせることが可能となる。
【００３６】
前記紙幣を収容する収容部３２の上面には、本体部３１に設置された際、本体部に配設されている搬送路４０に対応する位置に紙幣受入孔３２ａが形成されており、前記紙幣識別部３７において有効と識別された紙幣は、順次、紙幣受入孔３２ａを介して、収容部３２内に積層収容される。また、収容部３２の下面には、内部にストックされた紙幣を取り出すための開閉蓋３２ｂが設けられており、この開閉蓋３２ｂは、ヒンジ部３２ｃを中心にして開放されるようになっている。
【００３７】
前記収容部３２の内部には、順次送り込まれる紙幣を積層収容させるためのストック機構が配設されており、本体部３１には、このストック機構を駆動するための紙幣押圧駆動機構が配設されている。
【００３８】
前記ストック機構は、紙幣を支持する支持板７０と、これを矢印Ａ方向に付勢する圧縮バネ７１と、紙幣受入孔３２ａから搬入される紙幣を支持板７０側に押し込む押し込み板７２と、この押し込み板７２を矢印Ｂ方向、及び矢印Ｃ方向に移動可能となるように両端が軸支された一対のアーム部材７３ａ，７３ｂとを備えている。各アーム部材７３ａ，７３ｂは、押し込み板７２に連結されると共に、後述する紙幣押圧機構における往復作動棒と当接される受け板７５に連結されており、平行クランク機構としての機能を備えている。
【００３９】
前記紙幣押圧機構は、駆動モータ８０と、矢印Ａ方向、及びＢ方向に往復駆動される往復作動棒８１とを備えており、駆動モータ８０と往復作動棒８１との間には、ギヤトレインによって構成される動力伝達機構８５、及び往復作動棒８１に連結され、ギヤの回転運動を往復運動に変換するカム機構８６が配設されている。
【００４０】
上記した駆動モータ８０は、前記制御回路基板４７によって駆動が制御され、搬送路４０から紙幣受入孔３２ａを介して紙幣が搬入される毎に駆動される。すなわち、紙幣が支持板７０と押し込み板７２との間の空間Ｓに搬入されると、駆動モータ８０が回転駆動され、上記した動力伝達機構８５、及びカム機構８６を介して往復作動棒８１が矢印Ｂ方向に駆動される。この往復作動棒８１の先端部には、ローラ８１ａが支持されており、収容部３２に形成された孔を介して前記受け板７５に当接し、受け板７５を矢印Ｂ方向に摺動させる。これに伴い、押し込み板７２は、受け板７５と一体的にアーム部材７３ａ，７３ｂを介して矢印Ｂ方向に駆動されると共に、矢印Ｃ方向に駆動され、紙幣を圧縮バネ７１の付勢力に抗して支持板７０に当て付ける。この場合、紙幣が湾曲していても、押し込み板７２が矢印Ｃ方向に駆動されることから、紙幣は矯正されて支持板７０に当て付けられる。なお、紙幣には、支持板７０に作用する圧縮バネ７１からの付勢力が作用するが、最上の紙幣が、収容部３２の両側壁部分にリブ状に形成された一対の規制壁３２ｄに当て付くことで、積層、収容状態が維持される。
【００４１】
以上のように構成される紙幣識別装置３０、及びスロットマシン１によれば、以下のような効果が得られる。  
上記したように、紙幣識別装置３０の本体部３１に、カード状の情報記録媒体を処理する記録媒体処理装置５０を組み込んでいるため、紙幣識別装置、及び記録媒体処理装置を、別々のユニットとして、スロットマシンのような遊技機に設置する必要がなくなり、この結果、スロットマシンの筐体を大型化することなく、スペースを有効活用することが可能となる。また、スロットマシン１に、上記した記録媒体処理装置５０を組み込むことで、従来のキャッシュアウトチケットに換えて、遊技の報酬である有価価値を記録して遊技者にカードとして発行することができ、かつカードは繰り返して使用できることから、紙を無駄にすることもなく、セキュリティの向上が図れるようになる。
【００４２】
また、上記した構成の紙幣識別装置、及びスロットマシンによれば、紙幣挿入口３５とカード挿入口３６が略同一の位置に設置されていることから、紙幣やカードを挿入操作するに際して、紙幣やカードによって挿入口を選択する必要が無くなり、遊技者の利便性の向上が図れる。そして、この場合、幣挿入口３５の経路上に、紙幣の通過のみを検知可能なセンサ４３を配置していることから、誤って紙幣挿入口３５にカードＣを挿入しても、搬送モータ４５を回転駆動しないことで、遊技者に誤った操作であることを認識させることが可能となる。
【００４３】
また、上述した実施形態のスロットマシン１では、記録媒体処理装置５０を組み込んだ紙幣識別装置３０を、筐体１０に対して着脱可能なユニット１０ａ内に設置したことで、筐体１０を、遊技領域５を中心として略左右対称形状に構成することが可能となり、これにより外観デザインが向上すると共に、そのようなユニットを必要に応じて各種の遊技機の筐体に装着することも可能となる。
【００４４】
以上、本発明の実施形態について説明したが、本発明は、上記した実施形態に限定されることはなく、例えば、以下のように構成することが可能である。  
紙幣識別装置３０に組み込まれる記録媒体処理装置５０については、使用されるカードの挿入位置や紙幣識別部の構成等に応じて、構成部材（カード搬送経路、駆動モータ、カードリーダライタ等）や、その配置箇所は適宜変形することが可能である。例えば、紙幣挿入口とカード挿入口を一つの挿入口として共通化しても良く、このような構成では、紙幣及びカードの搬送経路上にカードリーダライタを配置したり、或いは、紙幣とカードの搬送経路上に切換弁等を設置しておき、挿入される媒体に応じて搬送経路を切換えるようにしても良い。  
また、紙幣挿入口３５において、挿入された媒体が、カードではなく紙幣であることを検出する紙幣挿入センサ４３の構成についても、図に示した構成以外にも、適宜変形することが可能である。
【００４５】
本実施形態では、紙幣識別装置から、紙幣が収容される部分（収容部３２）を本体部から着脱可能に構成したが、本体部に一体化されているような構成であっても良い。また、収容部内に搬入される紙幣の積層処理方法については、図４に示した構成に限定されることはなく種々変形することが可能である。
【００４６】
また、上記した紙幣識別装置は、スロットマシンのような遊技機の筐体内のいずれかの位置に設置することが可能である。例えば、図１に示す構成において、台座部１３の位置に各挿入口を露出させるような構成であっても良い。
【産業上の利用可能性】
【００４７】
本発明は、スロットマシン以外にも各種の遊技機に適用することが可能である。また、上記した紙幣識別装置は、遊技機以外にも、各種の自動販売機のような外部装置に設置することが可能である。
【図面の簡単な説明】
【００４８】
【図１】本発明に係る遊技機の一構成例を示す斜視図。
【図２】本発明に係る紙幣識別装置の構成例を示す斜視図。
【図３】紙幣挿入口及びカード挿入口部分の拡大斜視図。
【図４】紙幣識別装置の内部構成を示す概略図。
【図５】（ａ）は、カード挿入口にカード状の記録媒体を挿入した状態を示す斜視図、（ｂ）は、紙幣挿入口にカード状の記録媒体を挿入した状態を示す斜視図。
【図６】紙幣識別部に紙幣を挿入した状態を示す図。
【符号の説明】
【００４９】
１  スロットマシン（遊技機）
１０  筐体
３０  紙幣識別装置
３１  本体部
３２  収容部（金庫）
３５  紙幣挿入口
３６  カード挿入口
３７  紙幣識別部
５０  記録媒体処理装置
５５  カードリーダライタ
【図１】
2005250959.tif 000003
【図２】
2005250959.tif 000004
【図３】
2005250959.tif 000005
【図４】
2005250959.tif 000006
【図５】
2005250959.tif 000007
【図６】
2005250959.tif 000008